(57)【要約】【課題】不適切なスケジューリング頻度を減少させ、下りリンクの周波数利用効率の低下を抑えること。【解決手段】ＣＱＩ設定部１２０は、リソースブロック毎の通信路状態に基づいて、ＣＱＩを設定し、ＣＱＩ圧縮情報生成部１３０は、全リソースブロックのＣＱＩを圧縮することにより、代表値と、代表値に対する相対値とを含む圧縮ＣＱＩ情報を生成し、繰り返し数設定部１４０は、代表値の繰り返し数を、相対値の繰り返し数より多く設定し、繰り返し部１５０は、設定された繰り返し数に基づいて、各情報を繰り返し、多重部１６０、ＳＣ−ＦＤＭＡ信号生成部１７０、及び、送信部１８０は、繰り返し後の圧縮ＣＱＩ情報を、通信相手に通知する。【選択図】図１
2009239723.tif 000002
【特許請求の範囲】
【請求項１】
リソースブロック毎の通信路状態に基づいて、ＣＱＩを設定する設定手段と、
全リソースブロックのＣＱＩを圧縮することにより、代表値と、前記代表値に対する相対値とを含む圧縮ＣＱＩ情報を生成するＣＱＩ圧縮手段と、
前記代表値の繰り返し数を、前記相対値の繰り返し数より多く設定する繰り返し数設定手段と、
前記繰り返し数に基づいて、前記圧縮ＣＱＩ情報に含まれる前記代表値及び前記相対値を繰り返す繰り返し手段と、
繰り返し後の前記圧縮ＣＱＩ情報を、通信相手に通知する通知手段と、
を具備する通信装置。
【請求項２】
前記代表値は、全リソースブロックのＣＱＩの平均値であり、前記相対値は、前記平均値に対する各リソースブロックの相対値である
請求項１に記載の通信装置。
【請求項３】
前記ＣＱＩ圧縮手段は、全リソースブロックのＣＱＩを離散コサイン変換し、
前記代表値は、離散コサイン変換後のＣＱＩの直流成分であり、前記相対値は、離散コサイン変換後の係数である
請求項１に記載の通信装置。
【請求項４】
前記繰り返し数設定手段は、さらに、前記代表値、又は、前記相対値の上位ビットほど、繰り返し数を多く設定する
請求項１に記載の通信装置
【請求項５】
リソースブロック毎の通信路状態に基づいて、ＣＱＩを設定するステップと、
全リソースブロックのＣＱＩを圧縮することにより、代表値と、前記代表値に対する相対値とを含む圧縮ＣＱＩ情報を生成するステップと、
前記代表値の繰り返し数を、前記相対値の繰り返し数より多く設定するステップと、
前記繰り返し数に基づいて、前記圧縮ＣＱＩ情報に含まれる前記代表値及び前記相対値を繰り返すステップと、
繰り返し後の前記圧縮ＣＱＩ情報を、通信相手に通知するステップと、
を有するＣＱＩ通知方法。
【発明の詳細な説明】
【技術分野】
【０００１】
本発明は、通信装置及びＣＱＩ通知方法に関し、例えば、ＬＴＥ（Long Term Evolution）上りリンク制御チャネルを用いて通信路状態を報告する通信装置及びＣＱＩ通知方法に関する。
【背景技術】
【０００２】
３ＧＰＰ  ＬＴＥ（3rd Generation Partnership Project Long Term Evolution）の上りアクセス方式として、ＳＣ−ＦＤＭＡ（Single Carrier-Frequency Division Multiple Access）の採用が決定された。ＳＣ−ＦＤＭＡ方式は、ＰＡＰＲ（Peak to Average Power Ratio）が低いことが特徴である。
【０００３】
このＬＴＥでは、下り１００Ｍｂｐｓ、上り５０Ｍｂｐｓ以上の高速伝送をサポートする必要がある。高速伝送をサポートするために基地局装置は、各ユーザの端末装置により上りリンクを用いて報告される下りリンクの通信路状態に基づいて、通信路状態に適した送信帯域幅、変調多値数、及び、符号化率をユーザごとに割り当てる。これにより、ＬＴＥでは、周波数利用効率の向上を図っている。上りリンクで報告する下りリンクの通信路状態は、ＣＱＩ（Channel Quality Indicator）と呼ばれる。
【０００４】
各ユーザの端末装置から報告されるＣＱＩの総数は、ＣＱＩ測定の細かさ及びユーザ数に比例して増加する。このため、上りリンクの周波数利用効率の低下が顕著になる。
【０００５】
そこで、測定したＣＱＩをそのまま送信するのではなく、ＣＱＩを圧縮して送信する方法が検討されている。代表的な圧縮方法として、Ｂｅｓｔ−Ｍ法及びＤＣＴ法等がある。
【０００６】
Ｂｅｓｔ−Ｍ法は、全てのＣＱＩをそのまま送信するのではなく、ＣＱＩの平均値、Ｍ個の相対値、及び、マッピング情報の３つの情報に圧縮する方法である（非特許文献１参照）。
【０００７】
ここで、ＣＱＩの平均値とは、チャネルの全リソースブロック（Resource Block：ＲＢ）のＣＱＩの平均値をいう。Ｍ個のＣＱＩ相対値は、リソースブロックごとに設定されたＮ個のＣＱＩのうち、値が大きな順に選択されたＭ個のＣＱＩを、ＣＱＩの平均値を基準に相対的に表したものである。マッピング情報とは、選択されたＭ個のＲＢのマッピング位置を示す。
【０００８】
ＤＣＴ（discrete Cosine Transfer：離散コサイン変換）法は、ＤＣＴによって変換したチャネル情報を、直流成分、（Ｍ−１）個の絶対値、及び、マッピング情報の３つの情報に圧縮する方法である（非特許文献２参照）。
【０００９】
このように、ＣＱＩを圧縮することにより、全リソースブロックのＣＱＩを通信相手の基地局装置に報告する場合に比べ、報告量を削減することができるので、リソースの有効利用が図れるようになる。図７に、Ｂｅｓｔ−Ｍ法により圧縮されたＣＱＩを通信相手の基地局装置に報告する際に用いられるフォーマットの一例を示す。
【００１０】
ところで、基地局装置においてＣＱＩが誤って復号されると、通信路状態に不適切な送信帯域幅の割り当てが行われ、逆に周波数利用効率の低下を招く恐れがある。したがって、ＣＱＩが正しく復号されるように、受信品質保証処理を行う必要がある。
【００１１】
非特許文献３には、ＣＱＩを含む制御信号をＲｅｐｅｔｉｔｉｏｎすることで、送信側で受信品質保証処理を行っている。非特許文献３記載の方法を用いることにより、Ｒｅｐｅｔｉｔｉｏｎを行わない場合に比べて、ＣＱＩ情報の受信品質を高めることができる。
【非特許文献１】3GPP TS 36.211, "Evolved Universal Terrestrial Radio Access(E-UTRA); physical channels and modulation"
【非特許文献２】R1-062575,LG Electronics,"Further Analysis on DCT base CQI reporting Scheme",3GPP TSG RAN WG1 Meeting #46bis, Seoul, Republic of Korea, October 9-13,2006
【非特許文献３】R1-062740,NTT DoCoMo,"Single-Carrier Based Multiplexing of Uplink L1/L2 Control Channel",3GPP TSG RAN WG1 Meeting #46bis,Seoul,Republic of Korea,October 9-13,2006
【発明の開示】
【発明が解決しようとする課題】
【００１２】
しかしながら、非特許文献３に記載の方法では、ＣＱＩを含む制御情報は一律に繰り返されるようになるので、Ｒｅｐｅｔｉｔｉｏｎを行ったにも関わらず、基地局装置においてＣＱＩが誤って復号され、送信帯域幅の割り当てが不適切となって、周波数利用効率の低下を招く場合がある。
【００１３】
本発明はかかる点に鑑みてなされたものであり、不適切なスケジューリング頻度を減少させ、下りリンクの周波数利用効率の低下を抑えることができる通信装置及びＣＱＩ通知方法を提供することを目的とする。
【課題を解決するための手段】
【００１４】
本発明の通信装置は、リソースブロック毎の通信路状態に基づいて、ＣＱＩを設定する設定手段と、全リソースブロックのＣＱＩを圧縮することにより、代表値と、前記代表値に対する相対値とを含む圧縮ＣＱＩ情報を生成するＣＱＩ圧縮手段と、前記代表値の繰り返し数を、前記相対値の繰り返し数より多く設定する繰り返し数設定手段と、前記繰り返し数に基づいて、前記圧縮ＣＱＩ情報に含まれる前記代表値及び前記相対値を繰り返す繰り返し手段と、繰り返し後の前記圧縮ＣＱＩ情報を、通信相手に通知する通知手段と、を具備する構成を採る。
【００１５】
本発明のＣＱＩ通知方法は、リソースブロック毎の通信路状態に基づいて、ＣＱＩを設定するステップと、全リソースブロックのＣＱＩを圧縮することにより、代表値と、前記代表値に対する相対値とを含む圧縮ＣＱＩ情報を生成するステップと、前記代表値の繰り返し数を、前記相対値の繰り返し数より多く設定するステップと、前記繰り返し数に基づいて、前記圧縮ＣＱＩ情報に含まれる前記代表値及び前記相対値を繰り返すステップと、繰り返し後の前記圧縮ＣＱＩ情報を、通信相手に通知するステップと、を有するようにした。
【発明の効果】
【００１６】
本発明の通信装置及びＣＱＩ通知方法によれば、不適切なスケジューリング頻度を減少させ、下りリンクの周波数利用効率の低下を抑えることができる。
【発明を実施するための最良の形態】
【００１７】
以下、本発明の実施の形態について、図面を参照して詳細に説明する。
【００１８】
（実施の形態１）
図１に、本発明の実施の形態に係る通信装置の要部構成を示す。本実施の形態は、３ＧＰＰ  ＬＴＥにおける移動端末装置に適用した例である。
【００１９】
図１に示す通信装置１００は、受信部１１０、ＣＱＩ設定部１２０、ＣＱＩ圧縮情報生成部１３０、繰り返し数設定部１４０、繰り返し部１５０、多重部１６０、ＳＣ−ＦＤＭＡ（Single Carrier-Frequency Division Multiple Access）信号生成部１７０、及び、送信部１８０を備えて構成される。
【００２０】
受信部１１０は、通信相手の基地局装置から送信される信号を受信し、受信信号をＣＱＩ設定部１２０に出力する。
【００２１】
ＣＱＩ設定部１２０は、受信信号に含まれるパイロットチャネル等から、リソースブロックごとに、ＳＩＲ（Signal to Interference Ratio、信号電力対干渉電力比）等の受信品質を測定し、受信品質に基づいて、リソースブロックごとにＣＱＩを設定する。ＣＱＩ設定部１２０は、設定した全てのリソースブロックに対するＣＱＩの情報を、ＣＱＩ圧縮情報生成部１３０に出力する。
【００２２】
ＣＱＩ圧縮情報生成部１３０は、ＣＱＩ設定部１２０により設定された全リソースブロックのＣＱＩを、所定の方法を用いて圧縮する。圧縮方法は、様々であり、例えば、Ｂｅｓｔ−Ｍ法やＤＣＴ法などが代表的な方法として知られている。なお、圧縮方法の詳細については、後述する。ＣＱＩ圧縮情報生成部１３０は、圧縮後のＣＱＩ情報（以下「圧縮ＣＱＩ情報」ともいう）を繰り返し部１５０に出力する。このようにすることで、全リソースブロックのＣＱＩを通信相手の基地局装置に報告する必要がなくなり、リソースの有効利用が図れる。
【００２３】
繰り返し数設定部１４０は、圧縮ＣＱＩ情報に含まれる各情報の重要度、優先度、又は、必要度に応じて、各情報の繰り返し数を設定する。繰り返し数については、後に詳述する。繰り返し数設定部１４０は、設定した繰り返し数を、繰り返し部１５０に出力する。
【００２４】
繰り返し部１５０は、設定された各情報の繰り返し数に基づいて、圧縮ＣＱＩ情報に含まれる各情報を繰り返す。繰り返し部１５０は、繰り返し後の圧縮ＣＱＩ情報を多重部１６０に出力する。
【００２５】
多重部１６０は、入力データ及び繰り返し部１５０から出力される圧縮ＣＱＩ情報を時間多重し、多重後のシンボルをＳＣ−ＦＤＭＡ信号生成部１７０に出力する。
【００２６】
ＳＣ−ＦＤＭＡ信号生成部１７０は、ＤＦＴ（Discrete Fourier Transform）部１７１、マッピング部１７２、ＩＦＦＴ（Inverse Fast Fourier Transform）部１７３、及び、ＣＰ（Cyclic Prefix：サイクリックプレフィックス）付加部１７４を備えて構成され、ＳＣ−ＦＤＭＡ信号を生成する。
【００２７】
ＤＦＴ部１７１は、多重部１６０によって多重された時間領域信号を、１ＳＣ−ＦＤＭＡシンボルで用いるサブキャリア毎に直並列変換し、直並列変換された時間領域信号に対し離散フーリエ変換を施す。ＤＦＴ部１７１は、得られた周波数領域信号をマッピング部１７２に出力する。
【００２８】
マッピング部１７２は、周波数領域信号を複数のサブキャリアにマッピングし、マッピング後の周波数領域信号をＩＦＦＴ部１７３に出力する。
【００２９】
ＩＦＦＴ部１７３は、マッピング部１７２によって周波数領域信号がマッピングされたリソースブロック以外のリソースブロックには０をマッピングして、周波数領域信号と０とがマッピングされた周波数領域信号に対し、逆高速フーリエ変換する。また、ＩＦＦＴ部１７３は、得られた時間領域信号を並直列変換し、ＳＣ−ＦＤＭＡ信号を形成し、形成したＳＣ−ＦＤＭＡ信号をＣＰ付加部１７４に出力する。
【００３０】
ＣＰ付加部１７４は、時間軸上のＳＣ−ＦＤＭＡ信号にサイクリックプレフィクス（ＣＰ）を付加し、送信部１８０に出力する。送信部１８０は、ＣＰ付加後の時間領域におけるＳＣ−ＦＤＭＡ信号に対しアップコンバート等の無線処理を施し、得られたＲＦ（Radio Frequency）信号をアンテナを介して送信する。
【００３１】
次に、ＣＱＩ圧縮情報生成部１３０及び繰り返し数設定部１４０について説明する。なお、以下では、ＣＱＩ圧縮情報生成部１３０が、Ｂｅｓｔ−Ｍ法を用いて全リソースブロックのＣＱＩを圧縮し、圧縮ＣＱＩ情報を生成する場合について説明する。
【００３２】
図２は、ＣＱＩ設定部１２０によって設定されたリソースブロック毎のＣＱＩの一例を示している。図２において、図２Ａは、ＣＱＩをアナログ値で表し、図２Ｂは、ＣＱＩをディジタル値で表している。
【００３３】
上述したように、Ｂｅｓｔ−Ｍ法では、全リソースブロックのＣＱＩが、ＣＱＩの平均値、Ｍ個のＣＱＩ相対値、及び、マッピング情報の３つの情報に圧縮される。図２Ｂには、全リソースブロックのＣＱＩの平均値が基準とされ、Ｍ個の相対値がディジタル値で表現されている様子が示されている。
【００３４】
ここで、ＣＱＩの平均値と、Ｍ個のＣＱＩ相対値とでは、同じ誤りが生じた場合、Ｍ個のＣＱＩ相対値に誤りが生じた場合に比べ、ＣＱＩの平均値に誤りが生じた場合の方が、他に大きな影響を及ぼす。つまり、ＣＱＩの平均値と、Ｍ個のＣＱＩ相対値とでは、ＣＱＩの平均値の方が、Ｍ個のＣＱＩ相対値に比べ、高重要度、高優先度、又は、高必要度といえる。
【００３５】
さらに、ＣＱＩの平均値、又は、Ｍ個のＣＱＩ相対値を構成する各ビットのうち、上位ビットが誤るほど、この誤りが全体に与える影響が大きいので、上位ビットほど、高重要度、高優先度、又は、高必要度といえる。
【００３６】
本発明の発明者は、この点に着目した。つまり、全リソースブロックのＣＱＩは、誤りが生じると大きな影響を与える代表値と、誤りが生じても影響が小さい相対値とに圧縮され、誤りが生じると大きな影響を与える代表値は、より高重要度、高優先度、又は、高必要度であるので、これら高重要度、高優先度、又は、高必要度の代表値を、低重要度、低優先度、又は、低必要度の相対値よりも多く繰り返して送信するようにした。すなわち、繰り返し数設定部１４０は、圧縮ＣＱＩ情報の各情報の重要度、優先度、又は、必要度に応じて、繰り返し数を設定し、繰り返し部１５０は、設定された繰り返し数だけ、各情報を繰り返す。
【００３７】
具体的には、Ｂｅｓｔ−Ｍ法の場合、全リソースブロックのＣＱＩの平均値が、誤りが生じると大きな影響を与える代表値であり、当該平均値に対するＣＱＩの相対値が、誤りが生じても影響が小さい相対値といえる。したがって、繰り返し数設定部１４０は、圧縮ＣＱＩ情報のうち、ＣＱＩの平均値の繰り返し数を、Ｍ個のＣＱＩ相対値の繰り返し数よりも多く設定する。これにより、繰り返し部１５０は、ＣＱＩの平均値と、Ｍ個のＣＱＩ相対値については、Ｍ個のＣＱＩ相対値よりＣＱＩの平均値を多く繰り返す。
【００３８】
このようにすることで、誤りが生じると大きな影響を与えるＣＱＩの平均値の誤り耐性が強化されるので、基地局装置において、各リソースブロックのＣＱＩが大幅に誤って復調されるのを回避することができる。これにより、誤って復調されたＣＱＩに基づいて、基地局装置が、不適切な送信帯域を割り当ててしまう頻度を、減少させることができるようになる。
【００３９】
さらに、ＣＱＩの平均値、又は、Ｍ個のＣＱＩ相対値については、下位ビットよりも上位ビットの方が、高重要度、高優先度、又は、高必要度といえる。以下、図３及び図４を用いて、ＣＱＩの平均値、又は、Ｍ個のＣＱＩ相対値を構成する各ビットにおける繰り返し数について説明する。
【００４０】
図３は、図２ＢのＣＱＩの平均値、又は、Ｍ個のＣＱＩ相対値をディジタル値で表している。図３Ａは、ＣＱＩの平均値、又は、Ｍ個のＣＱＩ相対値が、それぞれ、ＭＳＢ（ＣＱＩ１），ＭＳＢ−１（ＣＱＩ２），ＬＳＢ−１（ＣＱＩ３），ＬＳＢ（ＣＱＩ４）の４ビットから構成される場合の例である。
【００４１】
図３Ｂは、ＣＱＩの平均値、又は、Ｍ個のＣＱＩ相対値を構成する各ビットのうち、上位ビットに誤りが生じた場合の例を示している。このように、上位ビットに誤りが生じるとＣＱＩの復号に大きな影響を与える。そこで、本実施の形態では、ＣＱＩの平均値、又は、Ｍ個のＣＱＩ相対値のうち、下位ビットの繰り返し数よりも、高重要度、高優先度、又は、高必要度の上位ビットほど繰り返し数を多く設定するようにした。
【００４２】
このようにすることで、繰り返し部１５０によって、上位ビットが下位ビットに比べより多く繰り返されるようになるので、上位ビットの誤り耐性が強化され、上位ビットが誤った場合の影響を抑えることができ、ＣＱＩの平均値、又は、Ｍ個のＣＱＩ相対値が誤って復調されるのを回避することができるようになる。この結果、誤って復調されたＣＱＩに基づいて、基地局装置が、不適切な送信帯域を割り当ててしまう頻度を減少させることができる。
【００４３】
図４は、繰り返し前と繰り返し後のＣＱＩを構成する各ビットの様子を示す。図４は、ＣＱＩの平均値、又は、Ｍ個のＣＱＩ相対値が、それぞれ、ＭＳＢ（ＣＱＩ１），ＭＳＢ−１（ＣＱＩ２），…，ＬＳＢ（ＣＱＩ４）の４ビットから構成される場合の例である。
【００４４】
図４Ａは、繰り返される前のもとのＣＱＩを示し、ＣＱＩのＭＳＢ（ＣＱＩ１），ＭＳＢ−１（ＣＱＩ２），…，ＬＳＢ（ＣＱＩ４）が、それぞれ、１つずつ含まれている。
【００４５】
図４Ｂは、繰り返し後のＣＱＩを示し、もとの４ビットが２０ビットにまで繰り返され、平均繰り返し回数が、５（＝２０／４）回の例である。
【００４６】
図４Ｂに示すように、繰り返し数設定部１４０は、ＣＱＩの平均値、又は、Ｍ個のＣＱＩ相対値を構成する各ビットのうち、下位ビットの繰り返し数よりも、高重要度、高優先度、又は、高必要度の上位ビットほど繰り返し数を多く設定するようにした。このようにすることで、繰り返し部１５０によって、上位ビットが下位ビットに比べより多く繰り返されるようになるので、上位ビットの誤り耐性が強化され、上位ビットが誤った場合の影響を抑えることができ、ＣＱＩの平均値、又は、Ｍ個のＣＱＩ相対値が誤って復調されるのを回避することができるようになる。この結果、誤って復調されたＣＱＩに基づいて、基地局装置が、不適切な送信帯域を割り当ててしまう頻度を減少させることができる。
【００４７】
なお、圧縮ＣＱＩ情報に含まれる代表値及び相対値の繰り返し数は、適用する優先モードによって異なる。以下、優先モードに応じて、繰り返し数を設定する場合について、図５のフロー図を用いて説明する。なお、図５において、ＳＴはフローの各ステップを示す。
【００４８】
ＳＴ１０１では、優先モードとして、［１］平均値優先モード、［２］上位ビット優先モード、また、これらの双方を実現する［３］平均値及び上位ビット優先モードのいずれかが設定される。
【００４９】
例えば、本実施の形態に係る通信装置を保持するユーザの移動速度が低速の場合、伝搬路の時間方向の変動は、高速移動時に比べて緩やかであるため、優先モード［３］が設定される。優先モード［３］では、優先モード［１］及び優先モード［２］の双方の重要度、優先度、又は、必要度を取り入れるので、伝搬路が落ち込んだ状態が続くような場合においても、ＣＱＩの平均値など、高重要度、高優先度、又は、高必要度の情報が誤る確率を、優先モード［１］や優先モード［２］に比し、低減させることができる。
【００５０】
優先モードが［１］平均値優先モードの場合（ＳＴ１０２：Ｙｅｓ）、ＳＴ１０３では、平均値の繰り返し数ＲＰＦ１と、相対値の繰り返し数ＲＰＦ２とが、ＲＰＦ１≧ＲＰＦ２となるように設定される。
【００５１】
優先モードが［２］上位ビット優先モードの場合（ＳＴ１０４：Ｙｅｓ）、ＳＴ１０５では、ＣＱＩを構成する各ビットの繰り返し数が設定される。具体的には、ＣＱＩの上位ビットの繰り返し数ＲＭＳＢほど、下位ビットの繰り返し数ＲＬＳＢより多くなるように設定される。つまり、ＲＭＳＢ≧ＲＭＳＢ−１≧…≧ＲＬＳＢとなるように設定される。なお、平均値及び相対値の繰り返し数については、ＲＰＦ１＝ＲＰＦ２とする。また、ＲＭＳＢ，ＲＭＳＢ−１，…，ＲＬＳＢの組み合わせを複数セット保持し、チャネル状態等によって、組み合わせを選択するようにしてもよい。チャネル状態によって、最適な組み合わせとすることにより、より確実に受信品質の低下を回避することができるようになる。
【００５２】
優先モードが［３］平均値及び上位ビット優先モードの場合（ＳＴ１０６：Ｙｅｓ）、ＳＴ１０７では、平均値及び相対値の繰り返し数（ＲＰＦ１，ＲＰＦ２）と、各ビットの繰り返し数（ＲＭＳＢ，ＲＭＳＢ−１，…，ＲＬＳＢ）とが設定される。具体的には、ＲＰＦ１≧ＲＰＦ２、及び、ＲＭＳＢ≧ＲＭＳＢ−１≧…≧ＲＬＳＢとなるように設定される。
【００５３】
なお、優先モードが、［１］〜［３］のいずれでもない場合、ＲＰＦ１＝ＲＰＦ２＝１、ＲＭＳＢ＝ＲＭＳＢ−１＝…＝ＲＬＳＢ＝１に設定される（ＳＴ１０８）。
【００５４】
ＳＴ１０９では、設定された繰り返し数に応じて、圧縮ＣＱＩ情報が繰り返される。
【００５５】
以上のように、本実施の形態によれば、ＣＱＩ設定部１２０は、リソースブロック毎の通信路状態に基づいて、ＣＱＩを設定し、ＣＱＩ圧縮情報生成部１３０は、全リソースブロックのＣＱＩを圧縮することにより、代表値と、代表値に対する相対値とを含む圧縮ＣＱＩ情報を生成し、繰り返し数設定部１４０は、代表値の繰り返し数を、相対値の繰り返し数より多く設定し、繰り返し部１５０は、設定された繰り返し数に基づいて、各情報を繰り返し、多重部１６０、ＳＣ−ＦＤＭＡ信号生成部１７０、及び、送信部１８０は、繰り返し後の圧縮ＣＱＩ情報を、通信相手に通知する。このように、繰り返し数設定部１４０が、圧縮ＣＱＩ情報に含まれる各情報の重要度、優先度、又は、必要度に応じて、各情報の繰り返し数を設定し、繰り返し部１５０が、設定した繰り返し数だけ圧縮ＣＱＩ情報に含まれる各情報を繰り返すようにしたので、高重要度、高優先度、又は、高必要度の情報の誤り耐性が強化されるようになり、これら情報が誤った場合の影響を抑圧することができるようになる。したがって、例えば、通信相手の基地局装置が、誤って復調されたＣＱＩに基づいて不適切な送信帯域割り当ててしまう頻度を減少させることができるようになる。このように、本実施の形態では、入力データと圧縮ＣＱＩ情報とが時間多重される前に、ＣＱＩの受信品質保証処理が行われる。
【００５６】
なお、以上の説明では、ＣＱＩ圧縮情報生成部１３０が、Ｂｅｓｔ−Ｍ法を用いて、全リソースブロックのＣＱＩを、ＣＱＩの平均値、Ｍ個のＣＱＩの相対値、及び、Ｍ個のリソースブロックに関する情報に圧縮し、制御情報を生成する場合について説明したが、圧縮方法は、これに限られない。例えば、ＣＱＩ圧縮情報生成部１３０が、ＤＣＴ法を用いて、ＣＱＩ情報を圧縮し、制御方法を生成する場合についても適用可能である。以下、ＣＱＩ圧縮情報生成部１３０が、ＤＣＴ法を用いて、全リソースブロックのＣＱＩを圧縮する場合について説明する。
【００５７】
ＣＱＩ圧縮情報生成部１３０は、ＣＱＩ設定部１２０においてリソースブロックごとに設定されたＮ個のＣＱＩに対し、周波数方向に離散コサイン変換（ＤＣＴ：Discreet Cosine Transform）し、ＣＱＩのＤＣＴ係数情報を得る。
【００５８】
さらに、ＣＱＩ圧縮情報生成部１３０は、得られたＤＣＴ係数情報（「チャネル情報」ともいう）を、各ＤＣＴ係数情報の平均値である直流成分と、各ＤＣＴ係数情報（チャネル情報）のうち、電力が大きい順に選択された（Ｍ−１）個の絶対値と、選択されたＤＣＴ係数情報に対応するリソースブロックのマッピング位置を示すマッピング情報とに圧縮する。このようにすることで、ＣＱＩ情報をそのまま通信相手の基地局装置に報告する場合に比べ、報告量を削減することができるため、リソースの有効利用が図れるようになる。なお、図６に、ＤＣＴ（離散コサイン変換）後のＤＣＴ係数情報の一例を示す。図６Ａは、ＤＣＴ係数をアナログ値で表し、図６Ｂは、ＤＣＴ係数をディジタル値で表している。
【００５９】
Ｂｅｓｔ−Ｍ法により圧縮された制御情報と同様に、ＤＣＴ法により圧縮された圧縮ＣＱＩ情報に含まれる各情報にも、誤りが生じると大きな影響を与える代表値と、誤りが生じても影響が小さい相対値とがある。例えば、直流成分と（Ｍ−１）個のＤＣＴ係数情報とでは、同じ誤りが生じた場合の影響は、直流成分の方が大きい。したがって、直流成分とＤＣＴ係数情報とでは、直流成分が、ＤＣＴ係数情報より高重要度、高優先度、又は、高必要度な代表値であり、ＤＣＴ係数情報が、直流成分よりも、低重要度、低優先度、又は、低必要度な相対値であるといえる。
【００６０】
さらに、ＤＣＴ係数を構成する各ビットのうち、上位ビットが誤るほど、この誤りが全体に与える影響が大きいので、上位ビットほど、高重要度、高優先度、又は、高必要度となる。
【００６１】
つまり、繰り返し数設定部１４０は、直流成分と（Ｍ−１）個のＤＣＴ係数情報とでは、ＤＣＴ係数情報の繰り返し数よりも、高重要度、高優先度、又は、高必要度の直流成分の繰り返し数が多くなるよう設定する。また、繰り返し数設定部１４０は、ＤＣＴ係数情報のうち、高重要度、高優先度、又は、高必要度となる上位ビットの繰り返し数ほど、下位ビットの繰り返し数に比べ多くなるように設定する。
【００６２】
このように、ＣＱＩ圧縮情報生成部１３０が、ＤＣＴ法を用いて、全リソースブロックのＣＱＩを圧縮して圧縮ＣＱＩ情報を生成するような場合にも、繰り返し数設定部１４０は、圧縮ＣＱＩ情報に含まれる各情報に対応付けられた重要度、優先度、又は、必要度に応じて、各情報の繰り返し数を設定し、繰り返し部１５０は、設定した繰り返し数だけ各情報を繰り返す。このようにすることで、高重要度、高優先度、又は、高必要度の情報の誤り耐性が強化されるので、高重要度、高優先度、又は、高必要度の情報が誤った場合の影響を抑えることができ、この結果、誤って復調されたＣＱＩに基づいて、基地局装置が、不適切な送信帯域割り当ててしまう頻度を減少させることができるようになる。
【００６３】
なお、繰り返し部１５０と、多重部１６０との間に、インタリーバを設け、インタリーバが繰り返し後の圧縮ＣＱＩ情報をインタリーブするようにしてもよい。インタリーブを行うことにより、連続的な誤りを抑圧することができる。
【００６４】
また、繰り返し部１５０と多重部１６０との間に符号化器を設け、符号化器が繰り返し後の制御情報に誤り訂正符号化を施すようにしても良い。
【産業上の利用可能性】
【００６５】
本発明にかかる通信装置及びＣＱＩ通知方法は、不適切なスケジューリング頻度を減少させ、下りリンクの周波数利用効率の低下を抑えることができ、例えば、ＬＴＥ上りリンク制御チャネルを用いて通信路状態を報告する通信装置及びＣＱＩ通知方法等として有用である。
【図面の簡単な説明】
【００６６】
【図１】本発明の実施の形態に係る通信装置の要部構成を示すブロック図
【図２】ＣＱＩの一例を示す図
【図３】繰り返し数を説明するための図
【図４】繰り返し数を説明するための別の図
【図５】優先モードに応じて、繰り返し数を設定する場合のフロー図
【図６】離散コサイン変換後のＤＣＴ係数情報の一例を示す図
【図７】Ｂｅｓｔ−Ｍ法により圧縮されたＣＱＩを報告する際に用いられるフォーマットの一例を示す図
【符号の説明】
【００６７】
１００  通信装置
１１０  受信部
１２０  ＣＱＩ設定部
１３０  ＣＱＩ圧縮情報生成部
１４０  繰り返し数設定部
１５０  繰り返し部
１６０  多重部
１７０  ＳＣ−ＦＤＭＡ信号生成部
１８０  送信部
【図１】
2009239723.tif 000003
【図２】
2009239723.tif 000004
【図３】
2009239723.tif 000005
【図４】
2009239723.tif 000006
【図５】
2009239723.tif 000007
【図６】
2009239723.tif 000008
【図７】
2009239723.tif 000009